【事件の表示】
　特願２０１０−５０９９３１号「光刺激及び生理的刺激をもたらす方法及びシステム」拒絶査定不服審判事件〔平成２０年１２月　４日国際公開、ＷＯ２００８／１４６２１９、平成２２年　８月１９日国内公表、特表２０１０−５２７７２８号〕について、次のとおり審決する。
【結　論】
　本件審判の請求は、成り立たない。
【理　由】
Ｉ．手続の経緯  
　本願は、平成２０年５月２２日（優先権主張　２００７年５月３１日　アメリカ合衆国）を国際出願日とする出願であって、平成２５年９月１７日付けで拒絶査定がされ、これに対し、平成２６年１月２４日付けで拒絶査定不服審判が請求されると同時に特許請求の範囲についての手続補正がされたものであり、その後、当審において、同年１１月６日付けで拒絶理由が通知され、平成２７年１月２７日付けで意見書及び手続補正書が提出されたものである。
　
　
II．本願発明
　本願の請求項１〜１０に係る発明は、平成２７年１月２７日付け手続補正書により補正された特許請求の範囲の請求項１〜１０に記載された事項により特定されるとおりのものであるところ、その請求項１に係る発明（以下「本願発明」という。）は、以下のとおりである。
「【請求項１】
　光を発出するシステムであって、前記光は、所望の光誘起生理的刺激、及び所望の光刺激を供給し、前記システムは、
（ａ）第１の波長帯の光を発出するよう構成された複数の第１の発光素子であって、前記複数の第１の発光素子は複数の第１の制御信号に反応し、前記複数の第１の発光素子は第１の青色ＬＥＤの組及び第２の青色ＬＥＤの組を含み、前記第１の青色ＬＥＤの組は第１のピーク波長を有し、前記第２の青色ＬＥＤの組は第２のピーク波長を有し、前記第１のピーク波長は約４４０ｎｍであり、前記第２のピーク波長は約４８０ｎｍである発光素子と、
（ｂ）第２の波長帯の光を発出するよう構成された１つ又は複数の第２の発光素子であって、前記１つ又は複数の第２の発光素子は１つ又は複数の第２の制御信号に反応する発光素子と、
（ｃ）動作するよう前記複数の第１の発光素子及び前記１つ又は複数の第２の発光素子に結合された制御システムとを備え、前記制御システムは、前記所望の光誘起生理的刺激、前記所望の光刺激、前記第１の波長帯、及び前記第２の波長帯に基づいて前記複数の第１の制御信号及び前記１つ又は複数の第２の制御信号を生成して、前記第１の青色ＬＥＤの組の強度を増加させるよう前記複数の第１の制御信号の修正を行う一方で、前記第２の青色ＬＥＤの組の強度を低減させるよう前記第２の制御信号を、前記複数の第１の制御信号の前記修正に対応させて修正することにより、実質的に一定の光刺激を維持するよう構成され、
前記制御システムは更に、前記第１の青色ＬＥＤの組、前記第２の青色ＬＥＤの組、及び前記１つ又は複数の第２の発光素子を独立に修正する一方で、前記システムによって発出された光を前記所望の光刺激に維持するシステム。」
　
　
III．引用例の記載事項
　当審で通知したの拒絶の理由に引用され、この出願の優先権主張日前に頒布された刊行物である特開２００５−６３６８７号公報（以下「引用例」という。）には、図面とともに次の事項が記載されている。 
Ａ：「【要約】
【課題】発光装置に生体リズムの調整機能を持たせるために、青色光源として波長４４５〜４８０ｎｍの発光体を利用する場合、点灯中は常に生体リズムに影響を与えてしまう。
【解決手段】発光装置は、赤色光を発するＬＥＤ１０３、緑色光を発するＬＥＤ１０４、発光ピーク波長が４７０ｎｍである青色光を発するＬＥＤ１０５、及び１０５よりピーク波長が短波長である青色光を発するＬＥＤ１０６をそれぞれ複数有している。ＬＥＤ１０５は、メラトニン抑制の効果により生体リズムに影響を与える青色光を発する。ＬＥＤ１０６は、ＬＥＤ１０５より短波長であるためにメラトニン抑制効果の弱い青色光を発する。発光装置においては、制御回路１０７により、ＬＥＤ１０５の点灯とＬＥＤ１０６の点灯とを切り替えることにより、状況に応じて効果的に生体リズムを調整することが可能な発光装置を提供する。」
　
Ｂ：「【請求項１】
青色光を発する第１発光体と、
該第１の発光体と異なる発光ピーク波長を持つ青色光を発する第２発光体と、前記第１及び第２発光体を選択的に点灯させる点灯制御手段とを備えていることを特徴とする発光装置。
【請求項２】
前記第１発光体が４４５ｎｍから４８０ｎｍに発光ピーク波長を持ち、前記第２発光体が前記第１発光体より短波長側に発光ピーク波長を持つことを特徴とする請求項１に記載の発光装置。
【請求項３】
赤色光を発する第３発光体と、
緑色光を発する第４発光体とをさらに備えていることを特徴とする請求項１又は２に記載の発光装置。」
　
Ｃ：「【０００１】
【発明の属する技術分野】
本発明は、生体リズムに影響を与える発光装置及び表示装置に関するものである。
【０００２】
【従来の技術】
生体は体内に計時機構を持ち、生体機能に関する周期現象を制御していることが知られているが、周期現象の一つとしてサーカディアンリズムと呼ばれる２４から２５時間周期のリズムがある（非特許文献１参照）。サーカディアンリズムを示す代表的なものとしては睡眠と覚醒、体温変化などがあり、このリズムを１日の周期である２４時間周期に同調させる主要因子として、社会的要因や光環境が挙げられる。
【０００３】
現代社会の光環境を見ると、室内で過ごす時間が増加しているだけでなく、照明の発達により生活の夜型化が進んでおり、昼夜であまり明暗変化のない環境となっている。また、パソコンの普及により、夜間にディスプレイを使用する機会も増え、ディスプレイの光により１日中光を受けている環境となる。このため、２４時間周期への同調が崩れ、睡眠障害など健康を害する結果につながることが危惧されている。健康で快適な生活を送るためには、この生体リズムの位相が周囲の時間的な流れと一致し、振幅が大きく確保されることが必要とされており、生体リズムを整えるために様々な方法が提案されている。
【０００４】
生体リズムとして代表的なものである睡眠と覚醒のリズムには、メラトニンの分泌量が深く関係しており、覚醒時にはメラトニン分泌量は抑えられている。このメラトニンの分泌量に光が影響しており、発光波長４４０ｎｍから６００ｎｍの光に対してのメラトニン抑制度について調査したところ、特に波長４７０ｎｍ近傍の光がメラトニンの抑制効果が最も高いという実験結果が得られている（非特許文献２参照）。図８は、光の波長とメラトニンの抑制との関係を表したグラフである。このことを利用した提案として、睡眠障害などの治療に利用される特許文献１に記載の「光治療器」がある。」
　
Ｄ：「【００２０】
【発明の実施の形態】
〔実施形態１〕
本発明の第１の実施形態について図１に基づいて説明すれば以下の通りである。
【００２１】
図１は、本実施の形態に係る発光装置における実施形態の構成を概略的に示している。図１に示す発光装置は、光源と、光源からの光を拡散及び透過する拡散板１０１と、光源を保持する筐体１０２と、制御回路１０７とを備えている。発光装置は、光源となる発光体として、赤色（Ｒ）光を発するＬＥＤ１０３（第３発光体）、緑色（Ｇ）光を発するＬＥＤ１０４（第４発光体）、発光ピーク波長が４７０ｎｍである青色（Ｂ）光を発するＬＥＤ１０５（第１発光体）、及び１０５よりピーク波長が短波長である青色（Ｂ）光を発するＬＥＤ１０６（第２発光体）をそれぞれ複数有している。筐体１０２は、ＬＥＤ１０３，１０４，１０５，１０６を複数列に並ぶように配置された状態で保持するとともに、ＬＥＤ１０３〜１０６を駆動する図示しない駆動回路を備えている。
【００２２】
点灯制御手段としての制御回路１０７は、各ＬＥＤの発光強度を制御する指示を駆動回路に与えるとともに、ＬＥＤ１０５とＬＥＤ１０６とをいずれか一方が点灯するように切り替える指示を駆動回路に与える。駆動回路は、それらの指示に基づいて各ＬＥＤの発光強度を調整したり、ＬＥＤ１０５，１０６の点灯を切り替えたりする。
【００２３】
上記のように構成される発光装置においては、赤、青、緑の３色のＬＥＤを光源に用いることにより、白色光を発生する。まず、制御回路１０７の制御により３つのＬＥＤ１０３，１０４，１０５が点灯した状態では、発光波長４７０ｎｍであるＬＥＤ１０５の光が含まれることにより、室内の人に対してメラトニンの抑制効果を与え、覚醒の効果をもたらすことが可能となる。」
　
Ｅ：「【００２７】
〔実施形態２〕
本発明の第２の実施形態について図２及び図３に基づいて説明すれば以下の通りである。
【００２８】
図２は、本発明に係る表示装置における第２の実施形態の構成を概略的に示している。本実施形態の説明において、実施の形態１における構成要素と同様の機能を持つ構成要素には同じ符号を付して、その説明を省略する。
【００２９】
図２に示す表示装置は、画像などの情報を表示する液晶パネル２０１（表示手段）と、液晶パネル２０１を背面から照射する導光板２０２と、導光板２０２に光を照射するバックライト装置２０３（発光装置）とを備えている。バックライト装置２０３は、光源となる発光体として、バックライトケースに一列に配列されたそれぞれ複数のＬＥＤ１０３〜１０６と、各ＬＥＤの発光強度を制御する制御回路１０７とを持つ。バックライトケースには、図示はしないが、ＬＥＤ１０３〜１０６を駆動する駆動回路が設けられている。
【００３０】
上記のように構成される表示装置において、液晶パネル２０１に光を照射する導光板２０２上で、光源からの光を混色し白色光にする必要がある。まず、覚醒の効果を得たい場合には、制御回路１０７の制御により、赤色光を発するＬＥＤ１０３と、緑色光を発するＬＥＤ１０４、及び発光ピーク波長が４７０ｎｍであるＬＥＤ１０５を点灯した状態にする。この３色を点灯することにより放射される光が、導光板２０２によって混色され白色光となる。この光を光源として、液晶パネル２０１がカラーフィルタを通る光を制御することで表示が行われる。このとき、４７０ｎｍの光が含まれることにより、表示装置の使用者にメラトニンの抑制効果を与える。メラトニンが抑制されることにより、使用者は覚醒の効果を得る。」
　
Ｆ：「【００３２】
ＬＥＤ１０５を点灯する覚醒時における表示装置の色再現範囲を見ると、ＬＥＤ１０５は波長が長く緑に近い青のため、青の色相が緑寄りになり、色再現範囲が低下するという問題がある。図３の（ａ）は、このとき使用する３つのＬＥＤの色度座標から求めた色度図である。図中のＲ，Ｇ，ＢはそれぞれＬＥＤ１０３，１０４，１０５の色度座標を示している。色再現の規格であるｓＲＧＢの色度図と比較すると、青の座標がグラフの上方へ外れていることがわかる。これは、青色が緑に近い方に寄っており、深い青色を表現できないということを意味する。
【００３３】
この問題を防ぐために、覚醒の効果を得たい時を除いた通常時には、点灯する青色発光体を切り替える。すなわち、制御回路１０７の制御により、発光ピーク波長４７０ｎｍのＬＥＤ１０５を消灯し、それより短波長の発光ピークを持つＬＥＤ１０６を点灯する。これにより、通常時にはＬＥＤを用いた従来のディスプレイと同じ広い色再現範囲を得ることが可能となる。このときの色度図を図３の（ｂ）に示す。図３の（ｂ）の場合、図３の（ａ）の場合と比較すると、青の座標は下方にあり、より色純度の高い青色を表現可能であることを意味している。また、ＬＥＤ１０５とＬＥＤ１０６とを隣り合うように配置することにより、ＬＥＤ１０５とＬＥＤ１０６との点灯の切り替えを行うとき、切り替えによる他の光への影響を最小限にし、色むらを低減することができる。」
　
Ｇ：「【００５１】
本実施形態において、覚醒の効果を得たい場合、制御回路１０７の制御により、赤色ＬＥＤ１０３、緑色ＬＥＤ１０４、発光波長４７０ｎｍのＬＥＤ１０５に加えて、発光波長４７０ｎｍよりも短波長のＬＥＤ１０６を点灯し、導光板２０２上で白色光を発生させる。覚醒の効果を得るために発光波長４７０ｎｍのＬＥＤ１０５を点灯する必要があるが、ＬＥＤ１０５だけを青色光源として利用する場合色再現範囲が低下するため、ＬＥＤ１０６も点灯することにより色再現範囲の低下を最小限に抑える。覚醒時においては、ＬＥＤ１０３，１０４，１０６の三色で白色光を生成して表示を行う。
【００５２】
また、実施形態２に示すように、覚醒時と通常時とでＬＥＤ１０５とＬＥＤ１０６とを切り替えて使用する場合、切り替えることで混合した白色のバランスが崩れて色合いが大きく変わるという問題点がある。しかし、このようにＬＥＤ１０５，１０６の両方を点灯した場合には、それぞれの発光強度を調整することで任意の白色点とすることが可能となる。そのため、覚醒時と通常時とで色合いが変わるのを最小限に抑えることが可能となる。
【００５３】
また、時刻発生回路６０１を備えることから、時刻発生回路６０１より現在の時刻情報を得て、この情報を元に制御回路１０７により発光パターンを覚醒時と通常時とで切り替えることが可能となる。例えば、現在時刻が午前や日中といった時間であれば、覚醒時の条件で使用し、深夜であれば生体リズムに悪影響を与えないよう通常時の条件で使用するといったことを自動で行うことが可能となる。
【００５４】
図７は、時刻に基づく制御回路１０７による発光パターンの制御の一例を示している。ここでは、８時から２４時までの間ディスプレイを使用するものとしている。８時から１９時までは、覚醒の効果を得るために、ＬＥＤ１０５を強く発光している。それと同時に、ＬＥＤ１０６も発光し、その他の色の発光強度も調節することにより、通常時と同じホワイトバランスを保ちつつ、覚醒の効果も得ている。夜間においては、ＬＥＤ１０６のみを利用し、生体リズムに悪影響を及ぼすことなく、ディスプレイを使用することとなる。」
　
Ｈ：「【００５７】
【発明の効果】
本発明の発光装置は、以上のように、青色光を発する第１発光体と、該第１の発光体と異なる発光ピーク波長を持つ青色光を発する第２発光体と、前記第１及び第２発光体を選択的に点灯させる点灯制御手段とを備えている構成である。
【００５８】
これにより、第１及び第２発光体という２種の青色光源を点灯制御手段で選択的に点灯させるので、状況に応じた異なるパターンで発光装置の使用が可能となる。したがって、生体リズムの調整を効果的に行うことができるという効果を奏する。
【００５９】
前記の発光装置においては、前記第１発光体が４４５ｎｍから４８０ｎｍに発光ピーク波長を持ち、前記第２発光体が前記第１発光体より短波長側に発光ピーク波長を持つことにより、上記の発光ピーク波長の範囲で第１発光体を発光させることによりメラトニンの抑制が可能となる。したがって、発光装置の使用者に覚醒の効果をもたらすことができる。
【００６０】
前記の発光装置においては、赤色光を発する第３発光体と、緑色光を発する第４発光体とをさらに備えることにより、第１及び第２発光体のいずれか一方、もしくは両方と、第３及び第４発光体を利用することで、発光装置の光を白色光とすることが可能となる。したがって、発光装置を照明や表示装置用バックライトなどに容易に用いることができるという効果を奏する。
【００６１】
この発光装置においては、前記第１乃至第４発光体が発光ダイオードであることにより、４つの発光ダイオードを光源として利用した場合、その発光強度のバランスをとることで、任意のホワイトバランスを得ることが可能となる。したがって、第１及び第２発光体を選択的に点灯させる場合で異なる色再現範囲のずれを調整することができるという効果を奏する。」
　
　続いて、これらの記載について検討する。
ａ）摘記事項Ｂの記載から、「発光装置」は、第１発光体、第２発光体、第３発光体、第４発光体及び点灯制御手段を備えているものである。
　また、摘記事項Ｂの「第１発光体が４４５ｎｍから４８０ｎｍに発光ピーク波長を持ち、前記第２発光体が前記第１発光体より短波長側に発光ピーク波長を持つ」、摘記事項Ｄの「発光装置は、光源となる発光体として、赤色（Ｒ）光を発するＬＥＤ１０３（第３発光体）、緑色（Ｇ）光を発するＬＥＤ１０４（第４発光体）、発光ピーク波長が４７０ｎｍである青色（Ｂ）光を発するＬＥＤ１０５（第１発光体）、及び１０５よりピーク波長が短波長である青色（Ｂ）光を発するＬＥＤ１０６（第２発光体）をそれぞれ複数有している。」の各記載から、第１発光体は、４４５ｎｍから４８０ｎｍに発光ピーク波長を持つ青色光を発する複数のＬＥＤ１０５であり、第２発光体は、ＬＥＤ１０５より短波長側に発光ピーク波長を持つ複数のＬＥＤ１０６であり、第３発光体は、赤色光を発するＬＥＤ１０３であり、第４発光体は、緑色光を発するＬＥＤ１０４であることがわかる。
　
ｂ）摘記事項Ｄの「点灯制御手段としての制御回路１０７は、各ＬＥＤの発光強度を制御する指示を駆動回路に与える。・・・駆動回路は、それらの指示に基づいて各ＬＥＤの発光強度を調整したり、ＬＥＤ１０５，１０６の点灯を切り替えたりする。」の記載によれば、点灯制御手段は、各ＬＥＤの発光強度を制御する指示を与え、それらの指示に基づいて各ＬＥＤの発光強度を個別に調整するものであるところ、摘記事項Ｈの「第１及び第２発光体という２種の青色光源を点灯制御手段で選択的に点灯させるので、状況に応じた異なるパターンで発光装置の使用が可能となる。したがって、生体リズムの調整を効果的に行うことができるという効果を奏する。」、「４つの発光ダイオードを光源として利用した場合、その発光強度のバランスをとることで、任意のホワイトバランスを得ることが可能となる。」の各記載をも併せみれば、点灯制御手段は、効果的に生体リズムの調整を行うように各発光体の発光強度を調整するとともに任意のホワイトバランスを得るように各発光体の発光強度を調整することもわかる。
　
ｃ）摘記事項Ｅの「光源からの光を混色し、白色光にする」、摘記事項Ｇの「ＬＥＤ１０５，１０６の両方を点灯した場合には、それぞれの発光強度を調整することで任意の白色点とすることが可能となる。そのため、覚醒時と通常時とで色合いが変わるのを最小限に抑えることが可能となる。」、摘記事項Ｇの「ＬＥＤ１０５を強く発光している。それと同時に、ＬＥＤ１０６も発光し、その他の色の発光強度も調節することにより、通常時と同じホワイトバランスを保ち」の各記載に加え、上記（ａ）〜（ｂ）の検討をも踏まえれば、点灯制御手段は、複数のＬＥＤ１０５及び複数のＬＥＤ１０６のそれぞれの発光強度を調整するとともに、第３発光体及び第４発光体の発光強度を調節し、混色した白色光の色合いが変わるのを最小限に抑え、通常時と同じホワイトバランスを保つものといえる。
　
　以上、摘記事項Ａ〜Ｈの各記載及びａ）〜ｃ）の検討を総合すれば、引用例には、次の発明（以下「引用発明」という。）が記載されている。
「青色光を発する第１発光体と、
　青色光を発する第２発光体と、
　赤色光を発する第３発光体と、
　緑色光を発する第４発光体と、
　点灯制御手段とを備えた発光装置であって、
　第１発光体は、４４５ｎｍから４８０ｎｍに発光ピーク波長を持つ青色光を発する複数のＬＥＤ１０５であり、第２発光体は、ＬＥＤ１０５より短波長側に発光ピーク波長を持つ複数のＬＥＤ１０６であり、第３発光体は、赤色光を発するＬＥＤ１０３であり、第４発光体は、緑色光を発するＬＥＤ１０４であり、
　点灯制御手段は、各ＬＥＤの発光強度を制御する指示を与え、それらの指示に基づいて各ＬＥＤの発光強度を個別に調整し、効果的に生体リズムの調整を行うように各発光体の発光強度を調整するとともに任意のホワイトバランスを得るように各発光体の発光強度を調整するものであり、
　点灯制御手段は、更に、複数のＬＥＤ１０５及び複数のＬＥＤ１０６のそれぞれの発光強度を調整するとともに、第３発光体及び第４発光体の発光強度を調節し、混色した白色光の色合いが変わるのを最小限に抑え、通常時と同じホワイトバランスを保つ、
　発光装置。」
　
　
IV．対比
　本願発明と引用発明とを対比する。
（ア）引用発明の「発光装置」は、文言の意味又は機能からみて本願発明の「光を発出するシステム」に相当する。
　引用発明の「効果的に生体リズムの調整を行う」とは、所望の効果が得られるように生体リズムの調整を行うことであって、この生体リズムの調整には、「メラトニン分泌量が深く関係しており、」「このメラトニンの分泌量に光が影響」（摘記事項Ｃ）するというものであるから、引用発明の「発光装置」が発出する光は、“所望の光誘起生理的刺激”を供給するものといえる。
　引用発明は、「白色光の色合いが変わるのを最小限に抑え、通常時と同じホワイトバランスを保つ」ように、「任意のホワイトバランスを得る」のであるから、引用発明における「任意のホワイトバランス」は、所望のホワイトバンスといえるところ、このような「色合い」や「ホワイトバンス」が白色光という光の物理的特性を表していることを考慮すると、引用発明の「発光装置」が発出する光は、“所望の光刺激”を供給するものといえる。
　
（イ）引用発明の「第１発光体」及び「第２発光体」は、本願発明の「複数の第１の発光素子」に相当するところ、当該「第１発光体」及び「第２発光体」は、それぞれ「青色光を発する」のであるから、青色光に対応する“波長帯”の光を発出していることは明らかである。
　引用発明では、「点灯制御手段は、各ＬＥＤの発光強度を制御する指示を与え、それらの指示に基づいて各ＬＥＤの発光強度を個別に調整し」、「複数のＬＥＤ１０５及び複数のＬＥＤ１０６のそれぞれの発光強度を調整する」ところ、この「各ＬＥＤの発光強度を制御する指示」は、各ＬＥＤを反応させるための“複数の制御信号”といえるものである。
　引用発明の「発光ピーク波長」は、本願発明の「ピーク波長」に相当するところ、引用発明の「複数のＬＥＤ１０５」は、「４４５ｎｍから４８０ｎｍに発光ピーク波長を持つ青色光を発する」ことから、本願発明の「第２のピーク波長を有」する「第２の青色ＬＥＤの組」に相当し、引用発明の「複数のＬＥＤ１０６」は、「ＬＥＤ１０５より短波長側に発光ピーク波長を持つ」ことから、本願発明の「第１のピーク波長を有」する「第１の青色ＬＥＤの組」に相当する。
　よって、引用発明は、“第１の波長帯の光を発出するよう構成された複数の第１の発光素子であって、前記複数の第１の発光素子は複数の第１の制御信号に反応し、前記複数の第１の発光素子は第１の青色ＬＥＤの組及び第２の青色ＬＥＤの組を含み、前記第１の青色ＬＥＤの組は第１のピーク波長を有し、前記第２の青色ＬＥＤの組は第２のピーク波長を有し、前記第１のピーク波長は前記第２のピーク波長より短波長側である発光素子”を備える点で、本願発明と共通する。
　
（ウ）引用発明の「第３発光体」及び「第４発光体」は、本願発明の「１つ又は複数の第２の発光素子」に相当するところ、当該「第３発光体」、「第４発光体」は、それぞれ「赤色光」、「緑色光」を発するのであるから、赤色光又は緑色光に対応する“波長帯”の光を発出していることは明らかである。
　引用発明では、「点灯制御手段は、各ＬＥＤの発光強度を制御する指示を与え、それらの指示に基づいて各ＬＥＤの発光強度を個別に調整し」、「第３発光体及び第４発光体の発光強度を調節」するところ、この「各ＬＥＤの発光強度を制御する指示」は、ＬＥＤ１０３又はＬＥＤ１０４を反応させるための“１つ又は複数の制御信号”といえるものである。
　よって、引用発明は、「第２の波長帯の光を発出するよう構成された１つ又は複数の第２の発光素子であって、前記１つ又は複数の第２の発光素子は１つ又は複数の第２の制御信号に反応する発光素子」を備える点で、本願発明と一致する。
　
（エ）引用発明の「点灯制御手段」は、「各ＬＥＤの発光強度を制御する指示を与え」るのであるから、各ＬＥＤとは少なくとも制御信号が伝達可能に結合されて制御動作を行うものである。
　よって、引用発明の「点灯制御手段」は、本願発明の「動作するよう複数の第１の発光素子及び１つ又は複数の第２の発光素子に結合された制御システム」に相当する。
　引用発明では、「点灯制御手段は、各ＬＥＤの発光強度を制御する指示を与え、それらの指示に基づいて各ＬＥＤの発光強度を個別に調整し、効果的に生体リズムの調整を行うように各発光体の発光強度を調整するとともに任意のホワイトバランスを得るように各発光体の発光強度を調整する」のであるから、引用発明の「点灯制御手段」は、「所望の光誘起生理的刺激、所望の光刺激、第１の波長帯、及び第２の波長帯に基づいて複数の第１の制御信号及び１つ又は複数の第２の制御信号を生成」する点で、本願発明の「制御システム」と一致する。
　さらに、引用発明では、「複数のＬＥＤ１０５及び複数のＬＥＤ１０６のそれぞれの発光強度を調整するとともに、第３発光体及び第４発光体の発光強度を調節し」ていることを踏まえれば、引用発明の「点灯制御手段」は、“第１の青色ＬＥＤの組の強度を調整させるよう複数の第１の制御信号の修正を行う一方で、第２の青色ＬＥＤの組の強度を調整させ、第２の制御信号を修正する”点で、本願発明の「制御システム」と共通している。
　
（オ）引用発明では、「点灯制御手段」が、「複数のＬＥＤ１０５及び複数のＬＥＤ１０６のそれぞれの発光強度を調整するとともに、第３発光体及び第４発光体の発光強度を調節」することにより、「混色した白色光の色合いが変わるのを最小限に抑え、通常時と同じホワイトバランスを保つ」ところ、この「色合い」や「ホワイトバンス」は、白色光という光の物理的特性を表すものであるから、引用発明は、“実質的に一定の光刺激を維持する”事項、及び“システムによって発出された光を所望の光刺激に維持する”事項を具備するものといえる。
　
（カ）引用発明では、「点灯制御手段は、各ＬＥＤの発光強度を制御する指示を与え、それらの指示に基づいて各ＬＥＤの発光強度を個別に調整」するのであるから、各ＬＥＤの発光強度は、独立して修正されるものといえる。
　よって、引用発明の「点灯制御手段」は、「第１の青色ＬＥＤの組、第２の青色ＬＥＤの組、及び１つ又は複数の第２の発光素子を独立に修正する」点で、本願発明の「制御システム」と一致する。
　
　以上によれば、本願発明と引用発明の一致点及び相違点は、次のとおりである。
（一致点）
　光を発出するシステムであって、前記光は、所望の光誘起生理的刺激、及び所望の光刺激を供給し、前記システムは、
（ａ）第１の波長帯の光を発出するよう構成された複数の第１の発光素子であって、前記複数の第１の発光素子は複数の第１の制御信号に反応し、前記複数の第１の発光素子は第１の青色ＬＥＤの組及び第２の青色ＬＥＤの組を含み、前記第１の青色ＬＥＤの組は第１のピーク波長を有し、前記第２の青色ＬＥＤの組は第２のピーク波長を有し、前記第１のピーク波長は前記第２のピーク波長より短波長側である発光素子と
（ｂ）第２の波長帯の光を発出するよう構成された１つ又は複数の第２の発光素子であって、前記１つ又は複数の第２の発光素子は１つ又は複数の第２の制御信号に反応する発光素子と、
（ｃ）動作するよう前記複数の第１の発光素子及び前記１つ又は複数の第２の発光素子に結合された制御システムとを備え、前記制御システムは、前記所望の光誘起生理的刺激、前記所望の光刺激、前記第１の波長帯、及び前記第２の波長帯に基づいて前記複数の第１の制御信号及び前記１つ又は複数の第２の制御信号を生成して、前記第１の青色ＬＥＤの組の強度を調整させるよう前記複数の第１の制御信号の修正を行う一方で、前記第２の青色ＬＥＤの組の強度を調整させ、第２の制御信号を修正することにより、実質的に一定の光刺激を維持するよう構成され、
前記制御システムは更に、前記第１の青色ＬＥＤの組、前記第２の青色ＬＥＤの組、及び前記１つ又は複数の第２の発光素子を独立に修正する一方で、前記システムによって発出された光を前記所望の光刺激に維持するシステム。
　
（相違点１）
　第２の青色ＬＥＤの組における第２のピーク波長に関し、本願発明では、「第２のピーク波長は約４８０ｎｍである」のに対し、引用発明では、第２のピーク波長は４４５ｎｍから４８０ｎｍまでの何れかである点。
　
（相違点２）
　第１の青色ＬＥＤの組における第１のピーク波長に関し、本願発明では、「第１のピーク波長は約４４０ｎｍであ」るのに対し、引用発明では、第１のピーク波長の具体的な数値について明らかでない点。
　
（相違点３）
　制御システムの動作に関し、本願発明では、制御システムが、「第１の青色ＬＥＤの組の強度を増加させるよう前記複数の第１の制御信号の修正を行う一方で、前記第２の青色ＬＥＤの組の強度を低減させるよう前記第２の制御信号を、前記複数の第１の制御信号の前記修正に対応させて修正することにより、実質的に一定の光刺激を維持するよう構成され」いるのに対し、引用発明では、複数の第１の制御信号及び第２の制御信号の修正は行うものの、第１の青色ＬＥＤの組の強度の調整が具体的に「増加」であるとまでの特定はなく、第２の青色ＬＥＤの組の強度の調整が具体的に「低減」であるとまでの特定はなく、さらに、このような「増加」及び「低減」に対応させて第２の制御信号を修正するとまでの特定もない点。
　
　
Ｖ．相違点の判断
　上記各相違点について検討する。
（相違点１について）
　引用発明の「第１発光体」は、「４４５ｎｍから４８０ｎｍに発光ピーク波長を持つ青色光を発する複数のＬＥＤ１０５であ」るというものであるから、引用発明に接した当業者であれば、ＬＥＤ１０５の発光ピーク波長が、４４５ｎｍから４８０ｎｍの範囲内で適宜に設定され得るものであることを普通に理解できるところである。
　そうすると、引用発明において、第２の青色ＬＥＤの組における第２のピーク波長として、４４５ｎｍから４８０ｎｍという範囲の一部である「約４８０ｎｍ」を選択することは、当業者が容易になし得たことである。
　
（相違点２について）
　引用発明の「第２発光体」は、「４４５ｎｍから４８０ｎｍに発光ピーク波長を持つ」「ＬＥＤ１０５より短波長側に発光ピーク波長を持つ複数のＬＥＤ１０６であ」るというものである。
　また、引用例には、「ＬＥＤ１０５は波長が長く緑に近い青のため、青の色相が緑寄りになり、色再現範囲が低下するという問題がある。・・・この問題を防ぐために、・・・発光ピーク波長４７０ｎｍのＬＥＤ１０５を消灯し、それより短波長の発光ピークを持つＬＥＤ１０６を点灯する。これにより、・・・より色純度の高い青色を表現可能である・・・」（摘記事項Ｆ）と、ＬＥＤ１０６に、より青原色に近い青色光が求められていることも示唆されている。
　そうすると、引用発明における第１の青色ＬＥＤの組における第１のピーク波長について、「４４５ｎｍから４８０ｎｍ」という範囲よりも短波長側、即ち４４５ｎｍ未満であって、かつ、紫寄りの波長領域を避けた波長として、「約４４０ｎｍ」を選択することは、当業者であれば容易になし得たことである。
　
（相違点３について）
　引用例には、「ＬＥＤ１０５，１０６の両方を点灯した場合には、それぞれの発光強度を調整することで任意の白色点とすることが可能となる。」（摘記事項Ｇ）、「ＬＥＤ１０５は、メラトニン抑制の効果により生体リズムに影響を与える青色光を発する。ＬＥＤ１０６は、ＬＥＤ１０５より短波長であるためにメラトニン抑制効果の弱い青色光を発する。」（摘記事項Ａ）と記載されており、引用発明において、「複数のＬＥＤ１０５及び複数のＬＥＤ１０６のそれぞれの発光強度を調整する」に当たり、所望のメラトニン抑制効果やホワイトバランスの程度を踏まえて、ＬＥＤ１０６の調整として発光強度を増加させる調整及びＬＥＤ１０５の調整として発光強度を低減させる調整をそれぞれ採用することは、当業者が適宜になし得たことである。
　さらに、引用例には、「ＬＥＤ１０５を強く発光している。それと同時に、ＬＥＤ１０６も発光し、その他の色の発光強度も調節することにより、通常時と同じホワイトバランスを保ちつつ、覚醒の効果も得ている。」（摘記事項Ｇ）、「４つの発光ダイオードを光源として利用した場合、その発光強度のバランスをとることで、任意のホワイトバランスを得ることが可能となる。」（摘記事項Ｈ）と、ホワイトバンスを保つためには、「その他の色の発光強度も調節する」ことの必要性も記載されている。
　してみると、引用発明において、ＬＥＤ１０６の発光強度を増加させ、ＬＥＤ１０５の発光強度を低減させるとともに、これらの増加・低減に対応させて第３発光体及び第４発光体の発光強度を修正しつつ、実質的に一定のホワイトバランスを維持するようにして、相違点３に係る本願発明の特定事項とすることは、当業者であれば容易に想到し得たことである。
　
　そして、本願発明の効果も、当業者が引用発明から予測し得る程度のものであって、格別のものとはいえない。
　
　
VI．むすび  
　したがって、本願発明は、引用発明に基づいて当業者が容易に発明をすることができたものであるので、特許法第２９条第２項の規定により特許を受けることができない。
　よって、結論のとおり審決する。